(57)【要約】【課題】故障の発生を防止しつつ製造コストを低減する。【解決手段】測定用プローブ３，３を介して入力した電気信号に基づいて電圧測定および電流測定を実行する測定部と、電圧測定および電流測定の実行を指示する指示操作が可能な操作部と、電圧測定を実行する際に測定用プローブ３の接続端子３１を接続させるためのＶ端子１８ａと、電流測定を実行する際に接続端子３１を接続させるためのＡ端子１８ｂと、電圧測定および電流測定を実行する際に接続端子３１を接続させるためのＣＯＭ端子１８ｃと、電圧測定の実行が指示されたときにその旨を報知する報知部と、指先５０による押圧操作に応じて報知の状態を解除する解除スイッチ１６とを備え、解除スイッチ１６は、Ａ端子１８ｂに各接続端子３１が接続されている状態において解除スイッチ１６に対する指先５０による押圧操作が規制されるように構成されている。【選択図】図３
2013032997.tif 000002
【特許請求の範囲】
【請求項１】
一対の測定用プローブを介して入力した電気信号に基づいて電圧測定および電流測定を実行する測定部と、当該測定部に対して前記電圧測定および前記電流測定の実行を指示する指示操作が可能な操作部と、前記電圧測定を実行する際に１つの前記測定用プローブの接続端子を接続させるための電圧入力端子と、前記電流測定を実行する際に１つの前記測定用プローブの接続端子を接続させるための電流入力端子と、前記電圧測定および前記電流測定を実行する際に他の１つの前記測定用プローブの接続端子を接続させるための共通入力端子とを備えた測定装置であって、
前記指示操作によって前記電圧測定の実行が指示されたときにその旨を報知する報知部と、解除操作行使体による解除操作に応じて前記報知の状態を解除する解除部とを備え、
前記解除部は、前記電流入力端子に前記接続端子が接続されている状態において前記解除部に対する前記解除操作行使体による前記解除操作が規制されるように構成されている測定装置。
【請求項２】
前記解除部は、前記電流入力端子と前記共通入力端子との間に配設され、
前記電流入力端子および前記共通入力端子は、当該電流入力端子および当該共通入力端子の双方に前記各接続端子がそれぞれ接続されている状態において当該各接続端子間の隙間への前記解除操作行使体の挿入を規制可能な位置に配設されている請求項１記載の測定装置。
【請求項３】
前記解除部に対する前記解除操作行使体の接触を規制するための突起部を備え、
前記解除部は、前記電流入力端子と前記突起部との間に配設され、
前記電流入力端子および前記突起部は、当該電流入力端子に前記接続端子が接続されている状態において当該接続端子と当該突起部との間の隙間への前記解除操作行使体の挿入を規制可能な位置に配設されている請求項１記載の測定装置。
【請求項４】
前記電流入力端子に前記接続端子が接続されている状態において前記解除部を被覆すると共に当該電流入力端子に当該接続端子が接続されていない状態において当該解除部に対する被覆を解除する第１カバーを備えている請求項１記載の測定装置。
【請求項５】
前記測定用プローブを備え、
前記測定用プローブの前記接続端子には、前記電流入力端子に当該接続端子が接続されている状態において前記解除部を被覆する第２カバーが配設されている請求項１記載の測定装置。
【請求項６】
前記指示操作によって前記電圧測定の実行が指示されている状態において前記電流入力端子と当該測定装置内における予め決められた電気部品との接続を切断し、前記解除部に対する前記解除操作が行われたときに前記電流入力端子と前記電気部品とを接続する接断部を備えている請求項１から５のいずれかに記載の測定装置。
【発明の詳細な説明】
【技術分野】
【０００１】
本発明は、測定用プローブを介して入力した電気信号に基づいて電圧測定および電流測定を行う測定装置に関するものである。
【背景技術】
【０００２】
この種の測定装置として、特許第３５８３８３２号公報において出願人が開示した電気測定器が知られている。この電気測定器は、ロータリスイッチで構成されて本体に取り付けられたファンクションスイッチを備えて構成されている。また、本体には、テストリードを挿通可能なＣＯＭ端子、Ｖ端子、ｍＡ端子およびＡ端子が配設されている。ファンクションスイッチは、本体に対して回転可能に取り付けられ、回転操作により、電源ＯＦＦ、Ｖレンジ、ｍＡレンジおよびＡレンジを選択することが可能となっている。また、ファンクションスイッチには、回転操作（選択した測定レンジ）に連動してＶ端子、ｍＡ端子およびＡ端子に対するテストリードの接続を規制する接続規制手段が設けられている。この場合、接続規制手段は、本体の内側に配置されて、ファンクションスイッチに対する回転操作に連動して回転するように構成された円盤を備え、この円盤には、長円形状の貫通孔が形成されている。この電気測定器では、電源ＯＦＦおよびＶレンジが選択されているときには円盤の貫通孔がＶ端子の対向部位に位置して、他の端子に対するテストリードの接続を規制する。また、ｍＡレンジが選択されているときにはｍＡ端子の対向部位に貫通孔が位置して、他の端子に対するテストリードの接続を規制し、Ａレンジが選択されているときにはＡ端子の対向部位に貫通孔が位置して、他の端子に対するテストリードの接続を規制する。このため、この電気測定器では、測定レンジに対応する端子にのみテストリードを接続することができるため、測定レンジに対応しない端子に接続されたテストリードを介して過大な電流が流れて内部回路を損傷する事態を回避することが可能となっている。
【先行技術文献】
【特許文献】
【０００３】
【特許文献１】特許第３５８３８３２号公報（第２−３頁、第１−３図）
【発明の概要】
【発明が解決しようとする課題】
【０００４】
ところが、上記の従来の電気測定器には、改善すべき以下の問題点がある。すなわち、この電気測定器では、接続規制手段によって測定レンジに対応しない端子に対するテストリードの接続を規制している。しかしながら、この接続規制手段は、複数の部品を組み合わせて比較的複雑に構成されている。このため、接続規制手段の製作に要する費用の分、電気測定器の製造コストが上昇するという課題が存在する。また、構成が複雑な分、接続規制手段の故障が発生し易くなるおそれがあるという課題も存在する。
【０００５】
本発明は、かかる改善すべき課題に鑑みてなされたものであり、故障の発生を防止しつつ製造コストを低減し得る測定装置を提供することを主目的とする。
【課題を解決するための手段】
【０００６】
上記目的を達成すべく請求項１記載の測定装置は、一対の測定用プローブを介して入力した電気信号に基づいて電圧測定および電流測定を実行する測定部と、当該測定部に対して前記電圧測定および前記電流測定の実行を指示する指示操作が可能な操作部と、前記電圧測定を実行する際に１つの前記測定用プローブの接続端子を接続させるための電圧入力端子と、前記電流測定を実行する際に１つの前記測定用プローブの接続端子を接続させるための電流入力端子と、前記電圧測定および前記電流測定を実行する際に他の１つの前記測定用プローブの接続端子を接続させるための共通入力端子とを備えた測定装置であって、前記指示操作によって前記電圧測定の実行が指示されたときにその旨を報知する報知部と、解除操作行使体による解除操作に応じて前記報知の状態を解除する解除部とを備え、前記解除部は、前記電流入力端子に前記接続端子が接続されている状態において前記解除部に対する前記解除操作行使体による前記解除操作が規制されるように構成されている。
【０００７】
また、請求項２記載の測定装置は、請求項１記載の測定装置において、前記解除部は、前記電流入力端子と前記共通入力端子との間に配設され、前記電流入力端子および前記共通入力端子は、当該電流入力端子および当該共通入力端子の双方に前記各接続端子がそれぞれ接続されている状態において当該各接続端子間の隙間への前記解除操作行使体の挿入を規制可能な位置に配設されている。
【０００８】
また、請求項３記載の測定装置は、請求項１記載の測定装置において、前記解除部に対する前記解除操作行使体の接触を規制するための突起部を備え、前記解除部は、前記電流入力端子と前記突起部との間に配設され、前記電流入力端子および前記突起部は、当該記電流入力端子に前記接続端子が接続されている状態において当該接続端子と当該突起部との間の隙間への前記解除操作行使体の挿入を規制可能な位置に配設されている。
【０００９】
また、請求項４記載の測定装置は、請求項１記載の測定装置において、前記電流入力端子に前記接続端子が接続されている状態において前記解除部を被覆すると共に当該電流入力端子に当該接続端子が接続されていない状態において当該解除部に対する被覆を解除する第１カバーを備えている。
【００１０】
また、請求項５記載の測定装置は、請求項１記載の測定装置において、前記測定用プローブを備え、前記測定用プローブの前記接続端子には、前記電流入力端子に当該接続端子が接続されている状態において前記解除部を被覆する第２カバーが配設されている。
【００１１】
また、請求項６記載の測定装置は、請求項１から５のいずれかに記載の測定装置において、前記指示操作によって前記電圧測定の実行が指示されている状態において前記電流入力端子と当該測定装置内における予め決められた電気部品との接続を切断し、前記解除部に対する前記解除操作が行われたときに前記電流入力端子と前記電気部品とを接続する接断部を備えている。
【発明の効果】
【００１２】
請求項１記載の測定装置では、電圧測定の実行が指示されたときにその旨を報知する報知部と、解除操作行使体による解除操作に応じて報知の状態を解除する解除部とを備え、電流入力端子に接続端子が接続されている状態では解除部に対する解除操作行使体による解除操作が規制される。つまり、この測定装置は、複雑な構成の接続規制手段を用いることなく、報知の状態の解除を行うために電流入力端子から接続端子を取り外させることで、誤った接続状態を解消させるように構成されている。このため、この測定装置によれば、複雑な構成の接続規制手段を備えていない分、製造コストを十分に低減することができる。また、この測定装置によれば、複雑な構成の接続規制手段を備えていないため、接続規制手段の動作不良等に起因する故障の発生を確実に防止することができる。
【００１３】
また、請求項２記載の測定装置では、電流入力端子と共通入力端子との間に解除部が配設され、電流入力端子および共通入力端子の双方に各接続端子がそれぞれ接続されている状態において各接続端子間の隙間への解除操作行使体の挿入を規制可能な位置に電流入力端子および共通入力端子が配設されている。このため、この測定装置によれば、電流入力端子に接続端子が接続されている状態において解除部に対する解除操作を規制する機能を、専用の部材や機構を設けることなく簡易な構成で実現することができる結果、製造コストをさらに削減することができる。
【００１４】
また、請求項３記載の測定装置では、電流入力端子と突起部との間に解除部が配設され、電流入力端子に接続端子が接続されている状態において接続端子と突起部との間の隙間への解除操作行使体の挿入を規制可能な位置に電流入力端子および突起部が配設されている。このため、この測定装置によれば、電流入力端子に接続端子が接続されている状態において解除部に対する解除操作を規制する機能を、突起部を配設しただけの簡易な構成で実現することができる結果、製造コストをさらに削減することができる。
【００１５】
また、請求項４記載の測定装置は、電流入力端子に接続端子が接続されている状態において解除部を被覆すると共に電流入力端子に接続端子が接続されていない状態において解除部に対する被覆を解除する第１カバーを備えている。このため、この測定装置によれば、電流入力端子に接続端子が接続されている状態において解除部に対する解除操作を規制する機能を、簡易な構成の第１カバーだけで実現することができる結果、製造コストをさらに削減することができる。
【００１６】
また、請求項５記載の測定装置では、電流入力端子に接続端子が接続されている状態において解除部を被覆する第２カバーが測定用プローブの接続端子に配設されている。このため、この測定装置によれば、電流入力端子に接続端子が接続されている状態において解除部に対する解除操作を規制する機能を、測定用プローブの接続端子に第２カバーを配設しただけの簡易な構成で実現することができる結果、製造コストをさらに削減することができる。
【００１７】
また、請求項６記載の測定装置は、電圧測定の実行が指示されている状態において電流入力端子と測定装置内における予め決められた電気部品との接続を切断し、解除部に対する解除操作が行われたときに電流入力端子と上記の電気部品とを接続する接断部を備えている。つまり、この測定装置では、電圧測定の実行が指示されたときには、解除部に対する解除操作がされない限り接断部によって電流入力端子と上記の電気部品との接続が切断されている。このため、この測定装置によれば、例えば、報知部の故障に起因して報知が行われない場合においても、電圧入力端子に対する接続端子の誤った接続に起因する電気部品の損傷を確実に防止することができる。
【図面の簡単な説明】
【００１８】
【図１】テスタ１の構成を示す平面図である。
【図２】テスタ１の構成を示す構成図である。
【図３】解除スイッチ１６、Ｖ端子１８ａ、Ａ端子１８ｂおよびＣＯＭ端子１８ｃの位置関係を説明する第１の説明図である。
【図４】解除スイッチ１６、Ｖ端子１８ａ、Ａ端子１８ｂおよびＣＯＭ端子１８ｃの位置関係を説明する第２の説明図である。
【図５】テスタ１の使用方法を説明する第１の説明図である。
【図６】テスタ１の使用方法を説明する第２の説明図である。
【図７】テスタ１の使用方法を説明する第３の説明図である。
【図８】テスタ７１の構成を説明する第１の説明図である。
【図９】テスタ７１の構成を説明する第２の説明図である。
【図１０】テスタ１０１の構成を説明する第１の説明図である。
【図１１】テスタ１０１の構成を説明する第２の説明図である。
【図１２】テスタ２０１の構成を説明する第１の説明図である。
【図１３】テスタ２０１の構成を説明する第２の説明図である。
【発明を実施するための形態】
【００１９】
以下、測定装置の実施の形態について、添付図面を参照して説明する。
【００２０】
最初に、図１に示すテスタ１の構成について説明する。テスタ１は、測定装置の一例であって、同図に示すように、本体部２および一対の測定用プローブ３，３を備えて構成されている。
【００２１】
本体部２は、図２に示すように、測定部１１、操作部１３、報知部１５、解除スイッチ（解除部）１６、接断スイッチ（接断部）１７、Ｖ端子（電圧入力端子）１８ａ、Ａ端子（電流入力端子）１８ｂ、ＣＯＭ端子（共通入力端子）１８ｃ（以下、Ｖ端子１８ａ、Ａ端子１８ｂおよびＣＯＭ端子１８ｃを区別しないときには「入力端子１８」ともいう）、表示部１９および制御部２０を備えて構成されている。
【００２２】
測定部１１は、各入力端子１８を介して入力した電気信号に基づいて電圧測定および電流測定を行い、測定データＤｍを出力する。
【００２３】
操作部１３は、図１に示すように、本体部２の正面パネル２ａに配設された操作ダイヤル１３ａを備え、この操作ダイヤル１３ａを回動させる回動操作（指示操作）によって測定部１１に対して各測定（この例では、電圧測定および電流測定）のいずれかの実行を指示することが可能に構成されている。また、操作部１３は、指示操作（回動操作）によってテスタ１をオフ状態にすることが可能に構成されている。
【００２４】
また、操作部１３は、指示操作に応じて各入力端子１８と測定部１１との接続および非接続を切り替える。さらに、操作部１３は、指示操作によって指示された測定の種類を示す操作信号Ｓｏ１を制御部２０に出力する。
【００２５】
報知部１５は、制御部２０の制御に従って作動して、操作部１３を用いた指示操作によって電圧測定の実行が指示されたときにその旨を報知する。具体的には、報知部１５は、電圧測定の実行が指示されたときに制御部２０の制御に従って発光するＬＥＤ１５ａ（図２参照）と、このときに制御部２０の制御に従って警告音を出力するブザー１５ｂ（同図参照）とを備えて構成されている。この場合、ＬＥＤ１５ａは、解除スイッチ１６（図４参照）の下部に配設されている。このため、ＬＥＤ１５ａの発光時には、解除スイッチ１６が発光するように視認される。なお、ＬＥＤ１５ａの発光、ブザー１５ｂからの警告音の出力、および表示部１９による後述する文字情報の表示の１つ以上が行われている状態を以下「報知状態」ともいう。
【００２６】
解除スイッチ１６は、解除操作を行使するための解除操作行使体としての指先５０による押圧操作（解除操作の一例）がされたときに（図６参照）報知状態を解除する機能を有している。具体的には、解除スイッチ１６に対して押圧操作がされたときに操作信号Ｓｏ２が出力され、これに応じて制御部２０が報知部１５を制御して報知状態を解除する（ＬＥＤ１５ａによる発光、およびブザー１５ｂによる警告音の出力を停止させ、後述する文字情報の表示を終了させる）。また、解除スイッチ１６は、図３，４に示すように本体部２の正面パネル２ａにおけるＡ端子１８ｂとＣＯＭ端子１８ｃとの間に配設されている。また、解除スイッチ１６は、その下部に配設されているＬＥＤ１５ａの発光を視認可能とするために、透明または半透明に形成されている。
【００２７】
接断スイッチ１７は、図２に示すように、Ａ端子１８ｂと操作部１３との間に配置されて、制御部２０の制御に従って作動する。この場合、接断スイッチ１７は、操作部１３を用いた指示操作によって電圧測定の実行が指示されている状態において、Ａ端子１８ｂとテスタ１内の電気部品（予め決められた電気部品であって、例えば、Ａ端子１８ｂとＣＯＭ端子１８ｃとの間に配設されている電流検出用抵抗Ｒ）との接続を切断する。また、接断スイッチ１７は、指示操作によって電圧測定の実行が指示されている状態において解除スイッチ１６に対する押圧操作が行われたときは、Ａ端子１８ｂと上記の電気部品とを接続する（つまり、接続を復帰させる）。
【００２８】
Ｖ端子１８ａ、Ａ端子１８ｂおよびＣＯＭ端子１８ｃは、図３〜図５に示すように、測定用プローブ３の接続端子３１を挿入可能に構成されている。この場合、Ｖ端子１８ａは、電圧測定を実行する際に測定用プローブ３，３の一方における接続端子３１を接続させるための入力端子であって、図１，３に示すように、本体部２の正面パネル２ａにおける左側に配設されている。また、Ａ端子１８ｂは、電流測定を実行する際に測定用プローブ３，３の一方における接続端子３１を接続させるための入力端子であって、図１，３に示すように、正面パネル２ａにおける右側に配設されている。
【００２９】
また、ＣＯＭ端子１８ｃは、電圧測定および電流測定を実行する際に測定用プローブ３，３の他方における接続端子３１を接続させるための入力端子であって、図１，３に示すように、正面パネル２ａにおけるＶ端子１８ａとＡ端子１８ｂとの間に配設されている。このテスタ１では、電圧測定を実行する際には、Ｖ端子１８ａおよびＣＯＭ端子１８ｃに測定用プローブ３，３の各接続端子３１を１つずつ接続させ、電流測定を実行する際には、Ａ端子１８ｂおよびＣＯＭ端子１８ｃに測定用プローブ３，３の各接続端子３１を１つずつ接続させる。
【００３０】
また、このテスタ１では、Ａ端子１８ｂおよびＣＯＭ端子１８ｃの双方に測定用プローブ３，３の各接続端子３１がそれぞれ接続されている状態では、両端子１８ｂ，１８ｃの間に配設されている解除スイッチ１６に対する指先５０による押圧操作が規制されるように構成されている。具体的には、このテスタ１では、図３，４に示すように、Ａ端子１８ｂおよびＣＯＭ端子１８ｃの双方に測定用プローブ３，３の各接続端子３１がそれぞれ接続されている状態では、両接続端子３１間の隙間への指先５０（解除操作行使体）の挿入を規制可能な位置に、Ａ端子１８ｂおよびＣＯＭ端子１８ｃが配設されている。より具体的には、このテスタ１では、一例として、ＪＩＳＣ０９２２に規定されている検査プローブ（一体形試験指）が、Ａ端子１８ｂおよびＣＯＭ端子１８ｃにそれぞれ接続されている各接続端子３１間の隙間に挿入できないように、この隙間が１２ｍｍ以下となる位置に両端子１８ｂ，１８ｃが配設されている。
【００３１】
表示部１９は、図１に示すように、本体部２の正面パネル２ａに配設されて、制御部２０から出力される表示データＤｄ（図２参照）を入力して、測定値（電流値および電圧値）を表示する。また、表示部１９は、報知部としても機能して、制御部２０から出力される文字情報用の表示データＤｄを入力して、電圧測定の実行が指示された旨を示す文字情報を表示する。
【００３２】
制御部２０は、操作部１３から出力される操作信号Ｓｏ１に従って測定部１１および報知部１５を制御する。この場合、制御部２０は、電圧測定の実行が指示された旨を示す操作信号Ｓｏ１が操作部１３から出力されたときには、報知部１５のＬＥＤ１５ａを発光させると共に、報知部１５のブザー１５ｂに対して警告音を出力させる。また、制御部２０は、電圧測定の実行が指示された旨を示す操作信号Ｓｏ１が操作部１３から出力されたときには、接断スイッチ１７を制御して、Ａ端子１８ｂおよびＣＯＭ端子１８ｃの間に配設されている電流検出用抵抗Ｒ（テスタ１内における予め決められた電気部品）とＡ端子１８ｂとの接続を切断させる。
【００３３】
また、制御部２０は、解除スイッチ１６から出力される操作信号Ｓｏ２に従って報知部１５および接断スイッチ１７を制御する。この場合、制御部２０は、解除スイッチ１６から操作信号Ｓｏ２が出力されたときには、ＬＥＤ１５ａによる発光、およびブザー１５ｂによる警告音の出力を停止させる。また、制御部２０は、解除スイッチ１６から操作信号Ｓｏ２が出力されたときには、接断スイッチ１７を制御して、Ａ端子１８ｂと上記の電流検出用抵抗Ｒとを接続させる。
【００３４】
また、制御部２０は、測定部１１から出力される測定データＤｍに基づいて測定値表示用の表示データＤｄを出力することにより、表示部１９に測定値を表示させる。また、制御部２０は、電圧測定の実行が指示された旨を示す操作信号Ｓｏ１が操作部１３から出力されたときには、文字情報用の表示データＤｄを出力することにより、その旨を報知するための文字情報を表示部１９に表示させ、解除スイッチ１６から操作信号Ｓｏ２が出力されたときには、この文字情報の表示を終了させる。
【００３５】
次に、テスタ１を用いての測定方法について、図面を参照して説明する。
【００３６】
例えば、測定対象体に供給されている電圧の値を測定する際には、各入力端子１８に測定用プローブ３，３の接続端子３１を接続（挿入）し、次いで、電圧測定の実行を指示する指示操作を操作部１３を用いて行う。具体的には、操作部１３の操作ダイヤル１３ａを回動操作して、図１に示すように、本体部２の正面パネル２ａに記載されている電圧測定を示す文字（同図に示す「ＡＣＶ」の文字）の位置に操作部１３のマークＭを位置合わせする。
【００３７】
この際に、操作部１３が、各入力端子１８と測定部１１とを接続させると共に、指示操作によって指示された測定の種類（この例では、電圧測定）を示す操作信号Ｓｏ１を制御部２０に出力する。続いて、制御部２０が、操作部１３から出力された操作信号Ｓｏ１に従い、報知部１５のＬＥＤ１５ａを発光させると共に、報知部１５のブザー１５ｂに対して警告音を出力させる。また、制御部２０は、操作信号Ｓｏ１に従い、電圧測定の実行が指示された旨を示す文字情報用の表示データＤｄを表示部１９に出力し、その文字情報（例えば、「電圧測定モードです」の文字情報）が表示部１９に表示される。これにより、電圧測定の実行が指示された旨が測定者に対して報知される（報知状態となる）。
【００３８】
また、制御部２０は、操作信号Ｓｏ１に従い、接断スイッチ１７を制御して、Ａ端子１８ｂおよびＣＯＭ端子１８ｃの間に配設されている電流検出用抵抗Ｒ（テスタ１内における予め決められた電気部品）とＡ端子１８ｂとの接続を切断させる。
【００３９】
この場合、このテスタ１では、解除スイッチ１６に対して押圧操作を行うことで、上記した報知状態を解除する（発光の停止、警告音の出力停止、および文字情報の表示終了をさせる）ことができる。このため、測定の開始に先立ち、解除スイッチ１６に対する押圧操作を行う。
【００４０】
ここで、図３，４に示すように、Ａ端子１８ｂおよびＣＯＭ端子１８ｃに測定用プローブ３，３の各接続端子３１を接続したとき、つまり、電圧測定を実行する際の正しい接続状態としてのＶ端子１８ａおよびＣＯＭ端子１８ｃへの各接続端子３１の接続とは異なる誤った接続状態で接続端子３１を接続したとき（誤接続をしたとき）には、両接続端子３１の間の隙間への指先５０の挿入が規制されて、解除スイッチ１６に対して押圧操作をすることができないこととなる。この状態を解消して解除スイッチ１６に対して押圧操作を行うためには、図５に示すように、例えば、接続端子３１をＡ端子１８ｂから取り外して、図６に示すように、その接続端子３１をＶ端子１８ａに接続する。これにより、解除スイッチ１６に対する指先５０による押圧操作が可能となる。次いで、図７に示すように、解除スイッチ１６に対する押圧操作を行う。この際に、解除スイッチ１６が操作信号Ｓｏ２を制御部２０に出力する。
【００４１】
続いて、制御部２０は、操作信号Ｓｏ２に従い、ＬＥＤ１５ａによる発光、ブザー１５ｂによる警告音の出力を停止させると共に、表示部１９による文字情報の表示を終了させる（報知状態を解除させる）。また、制御部２０は、操作信号Ｓｏ２に従って接断スイッチ１７を制御して、Ａ端子１８ｂと上記の電流検出用抵抗Ｒとを接続させる。
【００４２】
上記したように、このテスタ１では、電圧測定の際にＡ端子１８ｂおよびＣＯＭ端子１８ｃに測定用プローブ３，３の各接続端子３１がそれぞれ接続された誤った接続状態（誤接続の状態）のままでは、解除スイッチ１６に対して押圧操作をすることができず、報知状態の解除を行うには、必然的にＡ端子１８ｂから接続端子３１を取り外す必要がある。このため、このテスタ１では、このような誤った接続状態を確実に解消することが可能となっている。
【００４３】
次いで、測定用プローブ３，３の各先端部３２を測定対象体の接触対象部位に接触させる。この際には、測定部１１が、測定用プローブ３，３を介して入力した電気信号に基づいて電圧測定を行い、測定した測定データＤｍを出力する。次いで、制御部２０は、測定部１１から出力された測定データＤｍに基づいて測定値表示用の表示データＤｄを表示部１９に出力する。これにより、図１に示すように、表示部１９に電圧の測定値が表示される。
【００４４】
ここで、Ａ端子１８ｂおよびＣＯＭ端子１８ｃに接続端子３１を接続した誤った接続状態で、高電圧が供給されている測定対象体に測定用プローブ３，３を接触させたときには、テスタ１内の電気部品（上記した電流検出用抵抗Ｒ）に過大な電流が流れて電気部品が損傷するおそれがあるが、このテスタ１では、このような誤った接続状態が確実に解消されているため、電気部品の損傷を確実に防止することが可能となっている。この場合、このテスタ１は、上記したように、報知状態の解除を行うためにＡ端子１８ｂから接続端子３１を取り外させることで、誤った接続状態を解消させるように構成されている。このため、このテスタ１では、複雑な構成の接続規制手段を用いる従来の構成と比較して、このような接続規制手段を備えていない分、製造コストを低減することが可能となっている。また、複雑な構成の接続規制手段を備えていないため、接続規制手段の動作不良等に起因する故障の発生を確実に防止することが可能となっている。
【００４５】
また、このテスタ１では、上記したように、電圧測定の実行が指示されたときには、解除スイッチ１６に対する押圧操作がされない限り接断スイッチ１７によって電流検出用抵抗ＲとＡ端子１８ｂとの接続が切断されている。このため、このテスタ１では、例えば、報知部１５や表示部１９の故障などに起因して、発光、警告音の出力、および文字情報の表示などによる電圧測定の実行が指示されている旨の報知がされない場合においても、接続端子３１の誤接続に起因する電気部品の損傷が確実に防止される。
【００４６】
続いて、測定対象体に流れている電流の値を測定する際には、Ｖ端子１８ａから接続端子３１を取り外して、Ａ端子１８ｂに接続する。次いで、操作部１３の操作ダイヤル１３ａを回動操作して、電流測定の実行を指示し、続いて、測定用プローブ３，３の先端部３２を測定対象体の接触対象部位に接触させる。この際に、測定用プローブ３，３および電流検出用抵抗Ｒを介して電流が流れて、電流検出用抵抗Ｒの両端に電気信号（電圧）が発生する。この場合、測定部１１が、電流検出用抵抗Ｒの両端に発生した電気信号（測定用プローブ３，３を介して入力した電気信号）に基づいて電流測定を行い、測定データＤｍを出力する。続いて、制御部２０が測定部１１から出力された測定データＤｍに基づいて測定値表示用の表示データＤｄを出力することにより、表示部１９に電流の測定値が表示される。
【００４７】
このように、このテスタ１では、電圧測定の実行が指示されたときにその旨を報知する報知部１５および表示部１９と、指先５０による押圧操作に応じて報知状態を解除する解除スイッチ１６とを備え、Ａ端子１８ｂに測定用プローブ３の接続端子３１が接続されている状態では解除スイッチ１６に対する指先５０による押圧操作が規制される。つまり、このテスタ１は、複雑な構成の接続規制手段を用いることなく、報知状態の解除を行うためにＡ端子１８ｂから接続端子３１を取り外させることで、誤った接続状態を解消させるように構成されている。このため、このテスタ１によれば、複雑な構成の接続規制手段を備えていない分、製造コストを十分に低減することができる。また、このテスタ１によれば、複雑な構成の接続規制手段を備えていないため、接続規制手段の動作不良等に起因する故障の発生を確実に防止することができる。
【００４８】
また、このテスタ１では、Ａ端子１８ｂとＣＯＭ端子１８ｃとの間に解除スイッチ１６が配設され、両端子１８ｂ，１８ｃの双方にそれぞれ接続されている各接続端子３１の間の隙間への指先５０の挿入を規制できる位置に両端子１８ｂ，１８ｃが配設されている。このため、このテスタ１によれば、Ａ端子１８ｂに接続端子３１が接続されている状態において解除スイッチ１６に対する押圧操作を規制する機能を、専用の部材や機構を設けることなく簡易な構成で実現することができる結果、製造コストをさらに削減することができる。
【００４９】
また、このテスタ１は、電圧測定の実行が指示されている状態においてＡ端子１８ｂとテスタ１内における予め決められた電気部品（上記の例では、電流検出用抵抗Ｒ）との接続を切断し、解除スイッチ１６に対する押圧操作が行われたときにＡ端子１８ｂと上記の電気部品とを接続する接断スイッチ１７を備えている。つまり、このテスタ１では、電圧測定の実行が指示されたときには、解除スイッチ１６に対する押圧操作がされない限り接断スイッチ１７によってＡ端子１８ｂと上記の電気部品との接続が切断されている。このため、このテスタ１によれば、例えば、報知部１５等の故障に起因して報知が行われない場合においても、入力端子１８に対する接続端子３１の誤った接続に起因する電気部品の損傷を確実に防止することができる。
【００５０】
なお、測定装置は、上記したテスタ１には限定されない。例えば、図８，９に示すテスタ７１を採用することができる。以下の説明において、上記したテスタ１と同じ構成要素については、同じ符号を付して、重複する説明を省略する。このテスタ７１は、両図に示すように、正面パネル２ａに配設された突起部８１を備えている。この突起部８１は、解除スイッチ１６に対する指先５０の接触を規制するための部材であって、解除スイッチ１６を挟んでＡ端子１８ｂに隣接するように配設されている。つまり、このテスタ７１では、Ａ端子１８ｂと突起部８１との間に解除スイッチ１６が配設されている。この場合、Ａ端子１８ｂおよび突起部８１は、Ａ端子１８ｂに接続端子３１が接続されている状態において接続端子３１と突起部８１との間の隙間への指先５０の挿入を規制可能な位置に配設されている。より具体的には、一例として、ＪＩＳＣ０９２２に規定されている検査プローブが、Ａ端子１８ｂに接続されている各接続端子３１と突起部８１との間の隙間に挿入できないように、この隙間が１２ｍｍ以下となる位置にＡ端子１８ｂおよび突起部８１が配設されている。
【００５１】
このテスタ７１では、図８に示すように、Ａ端子１８ｂに接続端子３１が接続されている状態では解除スイッチ１６に対する指先５０による押圧操作が規制されるように構成されている。このため、このテスタ７１においても、複雑な構成の接続規制手段を用いることなく、報知状態の解除を行うためにＡ端子１８ｂから接続端子３１を取り外させることで、誤った接続状態を解消させることができるため、複雑な構成の接続規制手段を備えていない分、製造コストを十分に低減することができると共に、接続規制手段の動作不良等に起因する故障の発生を確実に防止することができる。
【００５２】
また、このテスタ７１によれば、Ａ端子１８ｂに接続端子３１が接続されている状態において解除スイッチ１６に対する押圧操作を規制する機能を、突起部８１を配設しただけの簡易な構成で実現することができる結果、製造コストをさらに削減することができる。
【００５３】
また、図１０，１１に示すテスタ１０１を採用することができる。以下の説明において、上記したテスタ１，７１と同じ構成要素については、同じ符号を付して、重複する説明を省略する。このテスタ１０１は、両図に示すように、正面パネル２ａにおけるＡ端子１８ｂとＣＯＭ端子１８ｃとの間においてスライド可能に構成されたカバー（第１カバー）４１を備えている。このカバー４１は、図１０に示すように、Ａ端子１８ｂに対して接続端子３１が接続されている状態では、ＣＯＭ端子１８ｃ側（同図において左側）に位置して解除スイッチ１６を被覆する。また、カバー４１は、図外の付勢部材（例えば、バネ）によってＣＯＭ端子１８ｃ側からＡ端子１８ｂ側に向けて付勢されており、図１１に示すように、Ａ端子１８ｂから接続端子３１が取り外されたときには（非接続状態では）、付勢部材の付勢力によってＡ端子１８ｂ側にスライドして解除スイッチ１６の被覆を解除する。
【００５４】
つまり、このテスタ１０１では、図１０に示すように、Ａ端子１８ｂに接続端子３１が接続されている状態では解除スイッチ１６をカバー４１によって被覆して解除スイッチ１６に対する指先５０による押圧操作が規制されるように構成されている。このため、このテスタ１０１においても、複雑な構成の接続規制手段を用いることなく、報知状態の解除を行うためにＡ端子１８ｂから接続端子３１を取り外させることで、誤った接続状態を解消させることができるため、複雑な構成の接続規制手段を備えていない分、製造コストを十分に低減することができると共に、接続規制手段の動作不良等に起因する故障の発生を確実に防止することができる。
【００５５】
また、このテスタ１０１によれば、Ａ端子１８ｂに接続端子３１が接続されている状態において解除スイッチ１６に対する押圧操作を規制する機能を、簡易な構成のカバー４１だけで実現することができる結果、製造コストをさらに削減することができる。なお、カバー４１は、解除スイッチ１６を覆った状態において解除スイッチ１６の下部に配設されているＬＥＤ１５ａの発光を視認可能とするために、透明または半透明に形成するのが好ましい。
【００５６】
また、図１２，１３に示すテスタ２０１を採用することができる。なお、以下の説明において、上記したテスタ１，１０１と同じ構成要素については、同じ符号を付して、重複する説明を省略する。このテスタ２０１は、測定用プローブ３，３に代えて、両図に示す測定用プローブ１０３，１０３を備えている。この場合、測定用プローブ１０３の接続端子１３１には、図１２に示すように、カバー（第２カバー）５１が配設されている。また、このテスタ２０１では、解除スイッチ１６がＡ端子１８ｂの外側（同図における右側の位置であって、ＣＯＭ端子１８ｃから離反する側の位置）に配設されている。
【００５７】
このテスタ２０１では、図１２に示すように、測定用プローブ１０３の接続端子１３１がＡ端子１８ｂに接続されている状態において、カバー５１が解除スイッチ１６を被覆する。また、図１３に示すように、Ａ端子１８ｂから接続端子１３１が取り外されている状態（非接続状態）において、解除スイッチ１６の被覆が解除されて、解除スイッチ１６に対する指先５０による押圧操作が可能となる。つまり、このテスタ２０１では、Ａ端子１８ｂに測定用プローブ１０３の接続端子１３１が接続されている状態では指先５０による解除スイッチ１６に対する押圧操作が規制されるように構成されている。このため、このテスタ２０１においても、複雑な構成の接続規制手段を用いることなく、報知状態の解除を行うためにＡ端子１８ｂから接続端子３１を取り外させることで、誤った接続状態を解消させることができるため、複雑な構成の接続規制手段を備えていない分、製造コストを十分に低減することができると共に、接続規制手段の動作不良等に起因する故障の発生を確実に防止することができる。
【００５８】
また、このテスタ２０１によれば、Ａ端子１８ｂに接続端子３１が接続されている状態において解除スイッチ１６に対する押圧操作を規制する機能を、測定用プローブ１０３の接続端子１３１にカバー５１を配設しただけの簡易な構成で実現することができる結果、製造コストをさらに削減することができる。なお、カバー５１は、解除スイッチ１６を覆った状態において解除スイッチ１６の下部に配設されているＬＥＤ１５ａの発光を視認可能とするために、透明または半透明に形成するのが好ましい。
【００５９】
また、ＬＥＤ１５ａの発光、ブザー１５ｂによる警告音の出力、および表示部１９による文字情報の表示の３つの形態で電圧測定の実行が指示された旨を報知する例について上記したが、これらのうちの１つまたは２つの形態でその旨を報知する構成を採用することもできる。
【００６０】
また、電圧測定および電流測定を行うテスタ１に適用した例について上記したが、他の測定を行う測定装置に適用することもできる。例えば、電圧測定および電流測定に加えて抵抗測定を行う測定装置では、抵抗測定において電圧測定と同じＶ端子１８ａおよびＣＯＭ端子１８ｃに接続端子３１を接続し、入力した電気信号に基づいて電圧を測定し、その測定値（電圧値）に基づいて抵抗値を算出する。このため、電圧測定、電流測定および抵抗測定を行う測定装置に適用した構成においても、上記したテスタ１，７１，１０１，２０１と同様の効果を実現することができる。
【００６１】
また、Ａ端子１８ｂに接続端子３１，１３１が接続されているか否かに拘わらず、電圧測定の実行が指示されたときに、その旨の報知を行う構成例について上記したが、Ａ端子１８ｂに接続端子３１（または１３１）が接続され、かつ電圧測定の実行が指示されたときにのみ電圧測定の実行が指示された旨の報知を行う構成を採用することもできる。また、解除操作の一例として、指先５０による押圧操作がされたときに報知状態を解除する解除スイッチ１６を備えた例について上記したが、解除操作としてのスライド操作（例えば、図１における上下方向へのスライド操作）によって報知状態を解除する解除スイッチ（スライドスイッチ）を解除部として備えた構成を採用することもできる。
【符号の説明】
【００６２】
１，７１，１０１，２０１  テスタ
３，  １０３  測定用プローブ
１１  測定部
１３  操作部
１３ａ  操作ダイヤル
１５  報知部
１５ａ  ＬＥＤ
１５ｂ  ブザー
１６  解除スイッチ
１７  接断スイッチ
１８ａ  Ｖ端子
１８ｂ  Ａ端子
１８ｃ  ＣＯＭ端子
１９  表示部
３１，１３１  接続端子
４１，５１  カバー
５０  指先
８１  突起部
Ｒ  電流検出用抵抗
【図１】
2013032997.tif 000003
【図２】
2013032997.tif 000004
【図３】
2013032997.tif 000005
【図４】
2013032997.tif 000006
【図５】
2013032997.tif 000007
【図６】
2013032997.tif 000008
【図７】
2013032997.tif 000009
【図８】
2013032997.tif 000010
【図９】
2013032997.tif 000011
【図１０】
2013032997.tif 000012
【図１１】
2013032997.tif 000013
【図１２】
2013032997.tif 000014
【図１３】
2013032997.tif 000015